(57)【要約】【課題】Ｄ２Ｄ端末のために共通時間基準を提供する。【解決手段】実施形態による本発明の実施形態による無線通信システムの端末において端末対端末（Ｄｅｖｉｃｅ  ｔｏ  Ｄｅｖｉｃｅ，Ｄ２Ｄ）通信方法は、上向きリンク及び下向きリンクのうち少なくとも１つを介して同期情報を含む信号を受信したかを判断する段階と；前記同期情報を含む信号を受信しない場合、同期情報を含む信号を転送する段階とを含む。【選択図】図５
2019165479.tif 000002
【特許請求の範囲】
【請求項１】
無線通信システムの端末における端末対端末（Ｄｅｖｉｃｅ  ｔｏ  Ｄｅｖｉｃｅ，Ｄ２Ｄ）通信方法であって、
セル（ｃｅｌｌ）から第１同期情報を獲得したか判断する段階と、
前記端末の同期転送を制御する情報を獲得したか判断する段階と、
前記第１同期情報及び前記端末の同期転送を制御する情報が獲得された場合、前記第１同期情報に基づいて第２同期情報を転送する段階とを含む通信方法。
【請求項２】
前記第１同期情報が前記セルから獲得されない場合、他の端末から第３同期情報を獲得することを試みる段階と、
前記第３同期情報が前記他の端末から獲得されない場合、既に設定された条件に基づいて同期情報を獲得する段階とをさらに含むことを特徴とする請求項１に記載の通信方法。
【請求項３】
前記第１同期情報が前記セルから獲得された場合、前記端末の基準時間は前記セルに基づいて設定され、
前記第３同期情報が前記他の端末から獲得された場合、前記端末の基準時間は前記他の端末に基づいて設定されることを特徴とする請求項２に記載の通信方法。
【請求項４】
前記セルから第１同期情報を獲得したか判断する段階は、
特定の時間区間が経過したか、特定の試み回数を行ったか及び特定のタイマーが満了したかのうち少なくとも１つに基づいて前記第１同期情報が獲得されたか判断する段階を含むことを特徴とする請求項１に記載の通信方法。
【請求項５】
前記第２同期情報は、同期転送に関連した前記端末に既に設定された情報に基づいて転送されることを特徴とする請求項１に記載の通信方法。
【請求項６】
無線通信システムにおける端末対端末（Ｄｅｖｉｃｅ  ｔｏ  Ｄｅｖｉｃｅ，Ｄ２Ｄ）通信を行う端末であって、
信号を送受信する送受信部と、
前記送受信部を制御し、セルから第１同期情報を獲得したか判断し、前記端末の同期転送を制御する情報を獲得したか判断し、前記第１同期情報及び前記端末の同期転送を制御する情報が獲得された場合、前記第１同期情報に基づいて第２同期情報を転送する制御部とを含む端末。
【請求項７】
前記制御部は、
前記第１同期情報が前記セルから獲得されない場合は、他の端末から第３同期情報を獲得することを試みて、前記第３同期情報が前記他の端末から獲得されない場合、既に設定された条件に基づいて同期情報を獲得することを特徴とする請求項６に記載の端末。
【請求項８】
前記第１同期情報が前記セルから獲得された場合、前記端末の基準時間は前記セルに基づいて設定され、
前記第３同期情報が前記他の端末から獲得された場合、前記端末の基準時間は前記他の端末に基づいて設定されることを特徴とする請求項７に記載の端末。
【請求項９】
前記制御部は、
特定の時間区間が経過したか、特定の試み回数を行ったか及び特定のタイマーが満了したかのうち少なくとも１つに基づいて前記第１同期情報が獲得されたか判断することを特徴とする請求項６に記載の端末。
【請求項１０】
前記第２同期情報は、同期転送に関連した前記端末に既に設定された情報に基づいて転送されることを特徴とする請求項６に記載の端末。
【発明の詳細な説明】
【技術分野】
【０００１】
本発明の実施形態は、一般的に無線通信端末の端末間の通信のための自発的共通時間基準提供手続、運用方法及び装置に関する。
【背景技術】
【０００２】
現在使用される無線移動通信システムは、大部分有線網に基盤を置いて、端末と基地局間のリンクにのみ実際無線通信が適用される。したがって、各種災害発生時に前記無線移動通信システムの基盤となる有線網が損傷されれば、正常な無線通信サービスの提供が不可能になる。前述したような非常状況で、既存の有線網基盤の無線通信サービスに対するバックアップ（Ｂａｃｋ−ｕｐ）無線通信サービスを提供する方法の１つとして、Ｄ２Ｄ（Ｄｅｖｉｃｅ  ｔｏ  Ｄｅｖｉｃｅ）無線通信を使用することができる。
【０００３】
また、非同期セルラ移動通信標準団体である３ＧＰＰ（３ｒｄ  Ｇｅｎｅｒａｔｉｏｎ  Ｐａｒｔｎｅｒｓｈｉｐ  Ｐｒｏｊｅｃｔ）が次世代移動通信システムであるＬＴＥ（Ｌｏｎｇ  Ｔｅｒｍ  Ｅｖｏｌｕｔｉｏｎ）Ｒｅｌｅａｓｅ  １２規格化を進行し、Ｄ２Ｄ通信を支援に対して論議している。特に３ＧＰＰは、ＬＴＥ端末間のＤ２Ｄ通信が非常時に端末間のバックアップ通信サービスはもちろん、比較的遠い距離の端末間の通信に対する近接基盤アプリケーション及びサービス支援を目標として技術開発及び規格化を進行している。
【０００４】
Ｄ２Ｄ通信が行われるためには、初期的に他の端末の存在を認識する過程が必要であるが、これをＤｉｓｃｏｖｅｒｙ過程と言う。各Ｄ２Ｄ端末は、自分の存在を他のＤ２Ｄ端末に通知するためにＤｉｓｃｏｖｅｒｙ信号を転送する。また、各Ｄ２Ｄ端末は、他のＤ２Ｄ端末から転送された前記Ｄｉｓｃｏｖｅｒｙ信号を受信し、他のＤ２Ｄ端末の存在を認識する。前述した動作を効率的に行うためには、まず、同一の共通時間の基準下でＤ２Ｄ端末がＤｉｓｃｏｖｅｒｙ信号を送受信する特定時間区間を定めなければならない。そうではなければ、Ｄ２Ｄ端末は、いつ近くの他のＤ２Ｄ端末がＤｉｓｃｏｖｅｒｙ信号を転送するかを分からないので、常にＤｉｓｃｏｖｅｒｙ信号モニタリングを行わなければならないし、これは、端末の電力消耗を増加させる。したがって、Ｄ２Ｄ端末に共通時間基準を提供することができる方法が必要である。
【発明の概要】
【発明が解決しようとする課題】
【０００５】
前述したように、Ｄ２Ｄ通信のＤｉｓｃｏｖｅｒｙ過程が効率的に行われるためには、Ｄ２Ｄ端末に共通時間基準が提供されなければならない。セルラ網が正常に動作する場合には、前記共通時間基準を基地局から転送される同期信号から獲得することができる。
【０００６】
しかし、自然災害などによってセルラ網が正常に動作することができないか、または端末がセルラ網のサービス範囲の外に位置する場合、各Ｄ２Ｄ端末は、基地局から共通時間同期を獲得することができないという問題点がある。したがって、基地局ではないＤ２Ｄ端末が共通時間基準を提供する方法を考慮する必要がある。
【０００７】
したがって、Ｄ２Ｄ端末のために、共通時間基準を提供する方法が要求される。本発明の実施形態は、前述したような問題点を解決するためになされたものであって、本発明の目的は、また、Ｄ２Ｄ端末の共通時間基準提供機能を支援するために必要な運用方法、動作手続及び装置を提供することにある。
【課題を解決するための手段】
【０００８】
本願発明は、前述した問題と短所を解決するための少なくても１つの方法を提供し、以下で言及する長所を提供することができる。したがって、本願発明で提供しようとする動作方法、動作手続及び装置は、Ｄ２Ｄ端末に共通の基準時間情報を提供することによって、Ｄ２Ｄ機能を支援することを一側面にする。
【０００９】
前述した問題を解決するために、本発明の実施形態による無線通信システムの端末において端末対端末（Ｄｅｖｉｃｅ  ｔｏ  Ｄｅｖｉｃｅ，Ｄ２Ｄ）通信方法は、上向きリンク及び下向きリンクのうち少なくとも１つを介して同期情報を含む信号を受信したかを判断する段階と；前記同期情報を含む信号を受信しない場合、同期情報を含む信号を転送する段階と；を含む。
【００１０】
本発明の他の実施形態による無線通信システムの無線通信システムにおいて端末対端末（Ｄｅｖｉｃｅ  ｔｏ  Ｄｅｖｉｃｅ，Ｄ２Ｄ）通信を行う端末は、他の端末及び基地局と信号を送受信する送受信部と；前記送受信部を制御し、上向きリンク及び下向きリンクのうち少なくとも１つを介して同期情報を含む信号を受信したかを判断し、前記同期情報を含む信号を受信しない場合、同期情報を含む信号を転送する制御部とを含む。
【発明の効果】
【００１１】
本発明の実施形態は、前述した解決手段を通じて、セルラ網から共通時間基準を獲得することができない場合、Ｄ２Ｄ端末が自発的にＤ２Ｄ同期信号を介して共通時間基準を獲得し、効率的なＤ２Ｄ通信を可能にする効果がある。また、Ｄ２Ｄ端末の自発的共通時間基準提供に対する優先権付与が可能なので、多数のＤ２Ｄ端末が各々共通時間基準を提供し、混乱を引き起こす状況を減少させる効果がある。また、共通時間基準を提供するＤ２Ｄ端末が正常動作するセルラ網を自発的に認識し、共通時間基準の提供を終了させた後、当該セルラ網から共通時間基準を獲得することができる。最後に、本発明は、前記効果を得るために必要なＤ２Ｄ端末の動作手続及び装置を提供する。
【００１２】
本実施形態において、前記または他の側面、特徴及び長所は、以下の詳細な説明及び図面とともに説明されることができる。
【図面の簡単な説明】
【００１３】
【図１】図１は、基地局が下向きリンクで転送する同期信号及び端末が下向きリンクで転送するＤ２Ｄ同期信号資源を例示する図である。
【図２】図２は、端末が上向きリンクで転送するＤ２Ｄ同期信号資源を例示する図である。
【図３】図３は、端末が上向きリンクで転送するＤ２Ｄ同期信号資源を例示する他の図である。
【図４】図４は、本発明の無線通信システムでＤ２Ｄ端末が自発的に共通時間基準を提供する端末動作手続を例示する図である。
【図５】図５は、本発明の無線通信システムでＤ２Ｄ端末が自発的に共通時間基準を提供する端末動作手続を例示する他の図である。
【図６】図６は、本発明の無線通信システムでＤ２Ｄ端末が自発的に共通時間基準提供を終了する端末動作手続を例示する図である。
【図７】図７は、本発明の無線通信システムで共通時間基準を提供されたＤ２Ｄ端末が共通時間基準を失った場合、端末動作手続を例示する図である。
【図８】図８は、本発明の無線通信システムでＤ２Ｄ端末が最も最近受信した基地局からの共通時間基準提供許可可否を通知するシグナリングを基盤として共通時間基準を提供する端末動作手続を例示する図である。
【図９】図９は、本発明の無線通信システムでＤ２Ｄ端末の送信機ブロック構成を示す図である。
【図１０】図１０は、本発明の無線通信システムでＤ２Ｄ端末の受信機ブロック構成を示す図である。
【発明を実施するための形態】
【００１４】
以下、本発明の好ましい実施形態を添付の図面を参照して説明する。そして、本発明の実施形態を説明するに際して、関連した公知の機能あるいは構成に対する具体的な説明が本発明の要旨を不明にすることができると判断された場合、その詳細な説明を省略する。また、後述する用語は、本発明での機能を考慮して定義された用語であって、これは、ユーザ、運用者の意図または慣例などによって変わることができる。したがって、その定義は、本明細書全般にわたる内容に基づいて行われなければならない。
【００１５】
以下、本発明の実施形態では、無線通信システムでＤ２Ｄ支援可能端末（以下、Ｄ２Ｄ端末と称する）がＤ２Ｄ通信のために自発的に共通時間基準を提供する手続及び運用方法について説明する。
【００１６】
まず、Ｄ２Ｄ端末が共通時間基準を提供する手段の例として、Ｄ２Ｄ同期信号を定義する。前記Ｄ２Ｄ同期信号は、セルラ網を活用することができない場合、基地局から転送された既存の同期信号と同じ機能を提供する。すなわち端末のＤ２Ｄ通信のための同期獲得を可能にし、共通時間基準を提供する主体のＩＤ関連情報を伝達する。実施形態においてセルラ網が正常に動作する場合は、Ｄ２Ｄ端末は、自分が属する基地局から前記共通時間基準を獲得して使用することができる。例えばＬＴＥシステムの場合、端末は、基地局への接続時に、基地局転送同期信号であるＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）を検出し、端末が属するセルに対する時間同期及びセルＩＤを獲得し、前記獲得した時間同期を共通時間基準として使用することができる。
【００１７】
本発明の実施形態によるＤ２Ｄ端末の運用方法は、Ｄ２Ｄ端末が所定の時間区間または所定の試み回数または特定のタイマー満了内にセルラ網からの共通時間基準を獲得せず、その後に、さらに他の所定の時間区間または所定の試み回数または特定のタイマー満了内に他のＤ２Ｄ端末からの共通時間基準を獲得しない場合、Ｄ２Ｄ端末が自発的に共通時間基準を提供する過程を含む。
【００１８】
実施形態において、Ｄ２Ｄ端末がセルラ網から提供される共通時間基準を獲得したか否かは、Ｄ２Ｄ端末が基地局からの同期信号及びシステム情報を成功的に検出したか、または同期信号を成功的に検出したか否かによって判断可能である。
【００１９】
実施形態において、Ｄ２Ｄ端末が自発的に共通時間基準を提供する手段は、当該Ｄ２Ｄ端末から転送されるＤ２Ｄ同期信号である。また、Ｄ２Ｄ同期信号は、基地局が転送する同期信号と区分される信号である。
【００２０】
実施形態において、他のＤ２Ｄ端末からの共通時間基準を獲得したか否かは、他のＤ２Ｄ端末が転送するＤ２Ｄ同期信号を成功的に検出したか否かによって判断可能である。
【００２１】
本発明の他の実施形態によるＤ２Ｄ端末の運用方法は、Ｄ２Ｄ端末が所定の時間区間または所定の試み回数または特定のタイマー満了内にセルラ網からの共通時間基準と他のＤ２Ｄ端末からの共通時間基準をすべて獲得しない場合、Ｄ２Ｄ端末が自発的に共通時間基準を提供する過程を含む。
【００２２】
本発明のさらに他の実施形態によるＤ２Ｄ端末の運用方法は、Ｄ２Ｄ端末が共通時間基準を提供し始めた後、所定の周期ごとに、または所定の時間、所定の共通時間基準提供回数、または特定のタイマー満了後に自発的にセルラ網からの共通時間基準獲得と他のＤ２Ｄ端末からの共通時間基準獲得をすべて試みる過程を含む。もし共通時間基準を獲得すれば、当該端末は、共通時間基準提供を中止し、前記獲得した共通時間基準に従う。
【００２３】
実施形態において、最も最近基地局から常に共通時間基準を提供するように設定された端末は、前述したように、基地局や他のＤ２Ｄ端末から獲得した共通時間基準に従うと同時に、当該共通時間基準に合わせて端末も共通時間基準を提供することができる。これは、前記端末が基地局サービス領域内の陰影地域に位置し、基地局の共通時間基準を獲得することができない端末に遠回り経路で共通時間基準を提供することができるようにするためである。
【００２４】
実施形態において、セルラ網からの共通時間基準獲得可否が他のＤ２Ｄ端末からの共通時間基準獲得可否に優先することができるが、これは、設定によって変わることができる。また、実施形態において、セルラ網の基地局を介して送受信されるＬＴＥまたは３Ｇ信号を介してデータを送受信することを含むことができる。
【００２５】
Ｄ２Ｄ端末の類型またはユーザなど多様な要素によってＤ２Ｄ端末の自発的な共通時間基準提供が可能になるまで必要な特定の時間区間長さにまたは特定の獲得試み回数を異なるように設定することによって、Ｄ２Ｄ端末の自発的共通時間基準提供に対する優先順位を付与する。
【００２６】
本発明の実施形態は、Ｄ２Ｄ通信機能を支援する端末が自発的に共通時間基準を提供するための動作手続及び運用方法を含む。
【００２７】
Ｄ２Ｄ端末が与えられた条件内にセルラ網からの共通時間基準を獲得せず、その後、与えられた条件内に他のＤ２Ｄ端末からの共通時間基準も獲得しない場合、Ｄ２Ｄ端末が自発的に共通時間基準を提供する。またはＤ２Ｄ端末が与えられた条件内にセルラ網からの共通時間基準と他のＤ２Ｄ端末からの共通時間基準獲得に成功しない場合、Ｄ２Ｄ端末が自発的に共通時間基準を提供する。Ｄ２Ｄ端末が自発的に共通時間基準を提供する手段は、当該Ｄ２Ｄ端末から転送されるＤ２Ｄ同期信号であり、これは、基地局が転送する既存の同期信号と区分される信号である。本発明は、効率的に前記Ｄ２Ｄ同期信号を下向きリンク及び上向きリンクで転送する方法を含む。
【００２８】
また、本発明の実施形態は、共通時間基準を提供しているＤ２Ｄ端末が与えられた条件を満足するとき、自発的にセルラ網または他のＤ２Ｄ端末からの共通時間基準獲得を試み、これに成功する場合、共通時間基準提供を中断し、獲得した共通時間基準に従う。
【００２９】
前述した過程でセルラ網からの共通時間基準獲得可否が、他のＤ２Ｄ端末からの共通時間基準獲得可否に優先することができる。また、Ｄ２Ｄ端末に自発的共通時間基準提供が可能になる条件を差別的に設定することによって、Ｄ２Ｄ端末間の自発的共通時間基準提供の優先順位を付与する。
【００３０】
本発明の実施形態は、端末がセルラ網サービスを受けることができない状況で効率的に共通時間基準を獲得する方法を提供する。
【００３１】
図１は、本発明の実施形態による無線通信システムにおいて基地局が下向きリンクで同期信号を転送し、Ｄ２Ｄ端末が、基地局と同一の下向きリンクでＤ２Ｄ同期信号を転送する例を示す。
【００３２】
以下、前記無線通信システムをＬＴＥと仮定して説明する。しかし、通常の技術者が適用することができる他のシステムも適用されることができることを明らかにする。
【００３３】
図１を参照すれば、ＬＴＥシステムでは、多数個のシンボルの集合でスロット１００という時間資源単位が構成される。また、スロット１００より大きい時間資源単位でサブフレーム１０１が存在し、サブフレーム１０１は、２つのスロット１００で構成される。また、データは、サブフレーム１０１の単位でスケジューリングされる。最後に、１０個のサブフレーム１０１が集まってさらに大きい時間資源単位であるラジオフレーム１０２が構成される。また、ＬＴＥ下向きリンクは、ＯＦＤＭ基盤転送方式を使用するので、周波数資源は、多数の副搬送波で構成されることができる。
【００３４】
前述した時間資源設定の下で、基地局は、サブフレーム０と５で下向きリンクを介して既存のＬＴＥ同期信号を転送する。前記基地局転送同期信号は、２つの同期信号ＰＳＳ（Ｐｒｉｍａｒｙ  Ｓｙｎｃｈｒｏｎｉｚａｔｉｏｎ  Ｓｉｇｎａｌ）１０３とＳＳＳ（Ｓｅｃｏｎｄａｒｙ  Ｓｙｎｃｈｒｏｎｉｚａｔｉｏｎ  Ｓｉｇｎａｌ）１０４を含むことができる。
【００３５】
前記同期信号ＰＳＳ  １０３とＳＳＳ  １０４は、サブフレーム０と５の一番目のスロット内の最後の２つのシンボルにわたって転送され、周波数上では、チャネル帯域幅１０５の中央部に所定数の副搬送波資源を占める。また、ＰＳＳ  １０３とＳＳＳ  １０４は、各々前記所定の副搬送波の数に対応する長さのシーケンスで構成され、当該シーケンスは、セルＩＤ関連情報を含むことができる。また、ＰＳＳ  １０３とＳＳＳ  １０４のシーケンスは、互いに区別が可能になるように構成される。
【００３６】
すなわち、ＳＳＳ  １０４は、セルグループＩＤ，ＰＳＳ  １０３は、１つのセルグループ内にＮ個の項目のうち１つとそれぞれ対応する。したがって、セルグループの数がＭというとき、ＰＳＳ  １０３とＳＳＳ  １０４からＭＸＮ個のセルＩＤのうち１つを抽出することができる。
【００３７】
ＰＳＳ  １０３は、サブフレーム０と５で同一に転送され、これを利用してサブフレームタイミング獲得が可能である。また、ＳＳＳ  １０４は、２つの短いシーケンスがそれぞれ偶数と奇数の副搬送波にマッピングされる形態で構成され、サブフレーム０のＳＳＳ  １０４の転送時に前記２つの短いシーケンスのマッピングとサブフレーム１のＳＳＳ  １０４の転送時に前記２つの短いシーケンスのマッピングがスイッチされるので、ＳＳＳ  １０４を利用したラジオフレームタイミングの獲得が可能である。
【００３８】
前述したＬＴＥシステムのように、基地局同期信号が既に存在する状況で、Ｄ２Ｄ端末が下向きリンクで転送するＤ２Ｄ同期信号を新しく導入するために、次のような方法を適用することができる。前記Ｄ２Ｄ同期信号は、Ｐｒｉｍａｒｙ  Ｄ２Ｄ同期信号１０６とＳｅｃｏｎｄａｒｙ  Ｄ２Ｄ同期信号１０７を含むことができる。
【００３９】
前記Ｄ２Ｄ同期信号は、基地局の同期信号と区分される資源に割り当てられる。例えば、サブフレーム０と５の最後の２つのシンボルにわたって転送される。周波数資源上では、チャネル帯域幅１０５の中央部に所定数の副搬送波資源を占める。前記所定数の副搬送波資源は、システムで支援可能な最小のチャネル帯域幅と対応するように設定されることができる。したがって、基地局システム情報を獲得しない状態でＤ２Ｄ通信を行う場合、前記最小チャネル帯域幅の仮定の下に、Ｄ２Ｄ同期信号の送受信及び以後Ｄ２Ｄ通信過程を行うことができる。また、前記Ｄ２Ｄ同期信号は、前記基地局の同期信号と異なるシーケンスで構成されることができる。
【００４０】
また、端末が同期獲得時に基地局同期信号とＤ２Ｄ同期信号を区分することができるようにＰｒｉｍａｒｙ  Ｄ２Ｄ同期信号  １０６とＳｅｃｏｎｄａｒｙ  Ｄ２Ｄ同期信号１０７は、それぞれＰＳＳ  １０３とＳＳＳ  １０４と区別されるシーケンスで構成される。また、Ｐｒｉｍａｒｙ  Ｄ２Ｄ同期信号１０６とＳｅｃｏｎｄａｒｙ  Ｄ２Ｄ同期信号１０７のシーケンスが、互いに区別が可能となるように構成される。また、Ｐｒｉｍａｒｙ  Ｄ２Ｄ同期信号１０６とＳｅｃｏｎｄａｒｙ  Ｄ２Ｄ同期信号１０７は、Ｄ２Ｄ同期信号を転送する主体を区別することができるＩＤ関連情報、すなわちグループＩＤ及び１つのグループ内の項目数に対する情報を含む。
【００４１】
また、Ｐｒｉｍａｒｙ  Ｄ２Ｄ同期信号１０６は、サブフレーム０と５で同一に転送され、これを利用してサブフレームタイミング獲得が可能である。また、Ｓｅｃｏｎｄａｒｙ  Ｄ２Ｄ同期信号１０７は、２つの短いシーケンスがそれぞれ偶数と奇数の副搬送波にマッピングされる形態で構成され、サブフレーム０のＳｅｃｏｎｄａｒｙ  Ｄ２Ｄ同期信号１０７の転送時に前記２つの短いシーケンスのマッピングとサブフレーム１のＳｅｃｏｎｄａｒｙ  Ｄ２Ｄ同期信号１０７の転送時に前記２つの短いシーケンスのマッピングがスイッチされるので、Ｓｅｃｏｎｄａｒｙ  Ｄ２Ｄ同期信号１０７を利用したラジオフレームタイミング獲得が可能である。
【００４２】
実施形態において、Ｄ２Ｄ同期信号を基地局同期信号と同一のサブフレーム内に転送することによって、Ｄ２Ｄ同期信号の導入によってデータスケジューリングに及ぶ影響を最小化することができる。すなわち、前記サブフレーム０と５には、既に基地局同期信号転送に使用されるシンボルのチャネル帯域幅１０５の中央部に所定の副搬送波資源に対してスケジューリング制約が存在する状態である。特にサブフレーム単位データスケジューリングが行われる状況で、サブフレーム０と５の基地局同期信号が転送される周波数領域には、データを割り当てないようにスケージュラーが具現される可能性も存在する。したがって、既にスケジューリング制約が存在するサブフレームをＤ２Ｄ同期信号の転送に使用するものである。しかし、実施形態によって前記Ｄ２Ｄ同期信号を他のサブフレームに位置させることも可能であり、端末は、前記Ｄ２Ｄ同期信号を基盤として同期を獲得し、他の端末とＤｉｓｃｏｖｅｒｙ過程を容易に行うことができる。
【００４３】
一実施形態によれば、もし基地局同期信号が転送されない他のサブフレームをＤ２Ｄ同期信号転送に使用すれば、当該サブフレームにも追加スケジューリング制約が発生することができる。
【００４４】
図２は、本発明の実施形態による無線通信システムにおいてＤ２Ｄ端末が上向きリンクでＤ２Ｄ同期信号を転送する例を示す。
【００４５】
以下、前記無線通信システムをＬＴＥと仮定して説明する。時間及び周波数資源構成は、前述した図１と同一であり、基地局同期信号は、下向きリンクで転送されるので、図２の図面上で、上向きリンクの同期信号は、Ｄ２Ｄ同期信号だけが存在する。
【００４６】
実施形態において、端末は、基地局からサウンディング転送が可能となるように設定されたサブフレーム内で最も最後のシンボル区間にサウンディング信号を転送する。実施形態において、前記端末は、前記サウンディング信号と対応する区間でＤ２Ｄ同期信号を送受信することができる。
【００４７】
Ｄ２Ｄ同期信号は、図２に示されたように、サブフレーム０，１と５，６内の最後のシンボルのチャネル帯域幅２００の中央部における所定の副搬送波領域を介して転送される。前記所定の副搬送波領域は、システムで支援可能な最小のチャネル帯域幅と対応するように設定されることができる。したがって、基地局システム情報を獲得しない状態でＤ２Ｄ通信を行う場合、前記最小チャネル帯域幅の仮定下にＤ２Ｄ同期信号送受信及び以後Ｄ２Ｄ通信過程を行うことができる。
【００４８】
ここで、Ｄ２Ｄ同期信号を転送サブフレームの最後のシンボルに割り当てた理由は、既存のサウンディング転送に使用されるシンボルをＤ２Ｄ同期信号転送に活用するためである。サウンディング信号は、一般的に転送周期が長く、基地局の設定によって転送資源を調節することが容易であるという長所があるので、データや制御信号資源を活用する方法に比べて相対的にスケジューリング複雑度及び既存システムに及ぶ影響を低減しながら、Ｄ２Ｄ同期信号を導入することができる。
【００４９】
もしＤ２Ｄ同期信号を転送する端末の一定距離内に基地局からサービスを受ける他の端末がサウンディング信号を転送していたら、前記サウンディング信号とＤ２Ｄ同期信号間の衝突が発生することができる。したがって、これを防止するために、前記基地局が自分のサービス半径内の端末にＤ２Ｄ同期信号が転送されるサブフレームには、サウンディング信号を転送しないように設定することができる。また、実施形態によって、前記基地局は、端末にＤ２Ｄ同期信号の転送可否及びサウンディング信号の転送可否を設定することができ、前記設定は、通信状況によって異なるように決定されることができる。
【００５０】
前記４つのサブフレームの最後のシンボルに転送されるＤ２Ｄ同期信号には、Ｐｒｉｍａｒｙ  Ｄ２Ｄ同期信号２０１とＳｅｃｏｎｄａｒｙ  Ｄ２Ｄ同期信号２０２が一緒に含まれることができる。実施形態において、前記２つの同期信号は、周波数上に区分される副搬送波領域に分けて転送されることができる。
【００５１】
例えば、Ｐｒｉｍａｒｙ  Ｄ２Ｄ同期信号２０１は、チャネル帯域幅２００の中央部におけるＤ２Ｄ同期信号転送に割り当てられた周波数領域内の偶数番目の副搬送波にマッピングされ、Ｓｅｃｏｎｄａｒｙ  Ｄ２Ｄ同期信号２０２は、奇数番目の副搬送波にマッピングされる。前記区分される領域は、偶数／奇数副搬送波または上／下の副搬送波などに多様に設定されることができる。
【００５２】
また、図２に示されたように、１つのラジオフレーム内でＤ２Ｄ同期信号が４回転送され、これら転送時点によって、Ｐｒｉｍａｒｙ  Ｄ２Ｄ同期信号２０１とＳｅｃｏｎｄａｒｙ  Ｄ２Ｄ同期信号２０２がマッピングされる副搬送波領域が変動することができる。例えば、サブフレーム｛０，１｝と｛５，６｝で２つのＤ２Ｄ同期信号がそれぞれマッピングされる副搬送波領域が互いに変わるか、サブフレーム｛０，５｝と｛１，６｝で２つのＤ２Ｄ同期信号がそれぞれマッピングされる副搬送波領域が互いに変わることができる。前記転送時点によるマッピング変化を利用してラジオフレームタイミング獲得が可能である。
【００５３】
また、Ｐｒｉｍａｒｙ  Ｄ２Ｄ同期信号２０１は、サブフレーム｛０，１，５，６｝で同一の１つのシーケンスで構成されて転送され、Ｓｅｃｏｎｄａｒｙ  Ｄ２Ｄ同期信号２０２は、２つの短いシーケンスで構成され、１つの短いシーケンスは、サブフレーム｛０，１｝で、他の１つの短いシーケンスは、サブフレーム｛５，６｝でそれぞれ転送される。各シーケンスは、Ｐｒｉｍａｒｙ  Ｄ２Ｄ同期信号２０１及びＳｅｃｏｎｄａｒｙ  Ｄ２Ｄ同期信号２０２がインターリビングされて構成されることができる。これを利用してサブフレームタイミング獲得が可能である。前述した方法は、Ｄ２Ｄ同期信号転送サブフレーム数と位置、各Ｄ２Ｄ同期信号転送時点に対する転送パターンについて多様な変形適用が可能である。
【００５４】
前述した図１と比較して、１つのラジオフレーム内でＤ２Ｄ同期信号が転送される回数が２回から４回に増加した理由は、Ｄ２Ｄ同期信号の検出性能を保障するためのことである。すなわち、図１の場合は、Ｄ２Ｄ同期信号が割り当てられた周波数領域全体をＰｒｉｍａｒｙ／Ｓｅｃｏｎｄａｒｙ  Ｄ２Ｄ同期信号が各々完全に使用したが、図２の場合は、同一の周波数領域内に２つのＤ２Ｄ同期信号が共存するので、転送時点当たりＰｒｉｍａｒｙ／Ｓｅｃｏｎｄａｒｙ  Ｄ２Ｄ同期信号が各々使用する周波数領域のサイズは半分に減少する。したがって、これを補うために、４回に転送回数を二倍増加させたものである。しかし、実施形態によって、前記のように転送される前記Ｄ２Ｄ同期信号の回数は変わることができる。
【００５５】
図３は、本発明の実施形態による無線通信システムにおいてＤ２Ｄ端末が上向きリンクでＤ２Ｄ同期信号を転送する他の例を示している。
【００５６】
図３を参照すれば、以下、前記無線通信システムをＬＴＥ  ＴＤＤ（Ｔｉｍｅ  Ｄｉｖｉｓｉｏｎ  Ｄｕｐｌｅｘ）環境と仮定して説明する。しかし、他の通信システムでも、図３で説明する実施形態が説明する方法が適用されることができることは自明である。
【００５７】
時間及び周波数資源構成は、前述した図１と同一であり、基地局同期信号は、下向きリンクで転送されるので、上向きリンクの同期信号は、Ｄ２Ｄ同期信号だけが存在する。ＬＴＥ  ＴＤＤシステムでは、１つのラジオフレーム内のサブフレームを上向きリンクサブフレームと下向きリンクサブフレームとに区分して使用する。特に下向きリンク／上向きリンクサブフレームの個数及びラジオサブフレーム内の位置によって多数の下向きリンク／上向きリンク設定が定義されており、基地局は、このうち１つの下向きリンク／上向きリンク設定を選択して使用する。
【００５８】
Ｄ２Ｄ同期信号は、図３に示したように、サブフレーム１と６内の最後の２つのシンボル区間のチャネル帯域３００の中央部における所定の副搬送波領域を介してＰｒｉｍａｒｙ  Ｄ２Ｄ同期信号３０１とＳｅｃｏｎｄａｒｙ  Ｄ２Ｄ同期信号３０２が転送される。前記所定の副搬送波領域は、システムで支援可能な最小のチャネル帯域幅と対応するように設定されることができ、実施形態によってその位置が変わることができる。したがって、基地局システム情報を獲得しない状態でＤ２Ｄ通信を行う場合、前記最小チャネル帯域幅の仮定の下にＤ２Ｄ同期信号送受信及び以後Ｄ２Ｄ通信過程を行うことができる。特に前記Ｄ２Ｄ同期信号は、互いに異なるシンボル区間に転送される。ここで、サブフレーム１と６でＤ２Ｄ同期信号を転送する理由は、次の通りである。
【００５９】
サブフレーム１と６は、下向きリンク／上向きリンクサブフレーム間の転換のための特別サブフレームに設定され得るサブフレームであり、これらサブフレーム内の最後の一部のシンボルは、サウンディング信号の転送に使用可能なので、前記シンボルをＤ２Ｄ同期信号の転送に活用するためである。この際、Ｄ２Ｄ同期信号を転送する端末の一定距離内にＬＴＥ  ＴＤＤサービスを受ける端末がサウンディング信号を転送していたら、前記サウンディング信号とＤ２Ｄ同期信号との間に衝突が発生することができる。したがって、これを防止するために、基地局が自分のサービス半径内の端末にＤ２Ｄ同期信号が転送されるサブフレームには、サウンディング転送をしないように設定することができる。実施形態によって、基地局は、前記端末がＤ２Ｄ同期信号を転送するか否か、前記Ｄ２Ｄ同期信号の転送タイミング及び前記端末がサウンディング信号を転送するか否かを設定することができる。また、前記設定は、通信状態に対応して可変的に設定されることができる。
【００６０】
実施形態の端末においてＬＴＥ  ＴＤＤのすべての下向きリンク／上向きリンク設定においてサブフレーム１は、サウンディング転送に使用されることができ、サブフレーム１内で基地局の設定によって最後の１つまたは２つのシンボル区間にサウンディング信号を転送することができる。しかし、実施形態によって他のサブフレームでもサウンディング信号を転送することができる。
【００６１】
図３に示した例は、基地局が最後の２つのシンボル区間にサウンディング信号の転送が可能となるように設定された場合、当該シンボル区間をＤ２Ｄ同期信号の転送に使用すると仮定したものである。一方、サブフレーム６は、下向きリンク／上向きリンク設定によって上向きリンクサウンディング転送が可能なサブフレームになるか、または下向きリンクサブフレームとして使用される。したがって、サブフレーム６でＤ２Ｄ同期信号転送が円滑に行われるためには、基地局は、サブフレーム６を下向きリンクサブフレームとして使用しない下向きリンク／上向きリンク設定を使用する必要がある。実施形態において、端末は、サブフレーム１とサブフレーム６でＤ２Ｄ同期信号を転送することができる。
【００６２】
図４は、本発明による無線通信システムでＤ２Ｄ端末が自発的に共通時間基準を提供する端末動作手続の例を示す流れ図である。
【００６３】
実施形態において、端末は、セルラ網からサービスを受けることができない状況で初期同期獲得段階を始めると仮定することができる。
【００６４】
図４を参照すれば、端末は、４００段階で、基地局から共通時間基準獲得を試みて、与えられた条件内に共通時間基準を獲得したかを判断する。ここで、与えられた条件というのは、所定長さの時間区間、所定回数の共通時間基準獲得試み及び特定のタイマーの満了中の１つ以上の条件を満たすものを含む。また、与えられた条件を端末の類型及びユーザによって異なるように設定すれば、共通時間基準を提供するのに優先権を付与することができる。実施形態において、前記優先権は、ユーザによって異なるように付与することができ、優先権の高い端末が優先的に同期を獲得することができる。
【００６５】
前記設定は、端末製造時に固有の値として付与してもよく、基地局から設定してもよい。例えば、消防署員、警察、軍人など非常時状況を打開する責任があるユーザに、一般ユーザより前記与えられた条件にさらに短い時間区間を設定することによって、共通時間基準提供の優先権を付与することもできる。優先権が高い端末からまず共通時間基準が提供されれば、それより優先権の低い端末は、自発的に共通時間基準を提供せず、優先権が高い端末からの共通時間基準を獲得し、これに従うようになる。したがって、このような場合、優先権が高い端末の共通時間基準を基盤として前記優先権が高い端末の周辺の他の端末が同期を獲得することができる。
【００６６】
また、共通時間基準を獲得するというのは、基地局からの同期信号及びシステム情報を成功的に検出すること、または同期信号を成功的に検出することを含む。
【００６７】
もし４００段階で、与えられた条件内に基地局から共通時間基準を獲得しなかったと判断されれば、４０１段階に進行し、他のＤ２Ｄ端末から受信される信号を基盤として共通時間基準獲得を試みて、与えられた条件内に共通時間基準を獲得したかを判断する。ここで、与えられた条件というのは、４００段階で説明したものと同一である。但し、時間区間の長さ及び獲得試み回数値、またはタイマー時間は、４００段階と異なるように設定されることができる。また、共通時間基準を獲得するというのは、他のＤ２Ｄ端末から同期信号を成功的に検出するとことを意味する。
【００６８】
もし４０１段階で、与えられた条件内に他のＤ２Ｄ端末共通時間基準を獲得しなかったと判断されれば、４０２段階に進行し、端末が共通時間基準を提供する。実施形態によって、前記端末が提供する共通時間基準の転送方法は、端末が任意的、または既定の方法によって決定した時間及び周波数区間に同期信号を転送することを含むことができる。
【００６９】
その後、端末は、本発明によるアルゴリズムを終了する。
【００７０】
もし４００段階で、前記端末が与えられた条件内に基地局から共通時間基準を獲得したと判断されるか、４０１段階で、前記端末が与えられた条件内に他のＤ２Ｄ端末共通時間基準を獲得したと判断されれば、４０３段階に進行し、前記基地局または他のＤ２Ｄ端末から獲得した共通時間基準に合わせて同期を獲得することができる。その後、端末は、本発明によるアルゴリズムを終了する。
【００７１】
実施形態によって、以後の段階では、Ｄｉｓｃｏｖｅｒｙ過程を進行することができる。
【００７２】
図５は、本発明による無線通信システムにおいて、Ｄ２Ｄ端末が自発的に共通時間基準を提供する端末動作手続の他の例を示す流れ図である。
【００７３】
実施形態において、端末は、セルラ網からサービスを受けることができない状況で、初期同期獲得段階を始めると仮定する。しかし、前記端末がセルラ網からサービスを受けることができる状況でも、前記のような動作は具現されることができる。
【００７４】
図５を参照すれば、前記端末は、５００段階で、基地局と他のＤ２Ｄ端末の両方に対して共通時間基準獲得を試みて、与えられた条件内に共通時間基準を獲得したかを判断する。実施形態の全般で、前記端末は、基地局及び他のＤ２Ｄ端末のうち少なくとも１つから共通時間基準獲得を試みることができる。
【００７５】
ここで、与えられた条件というのは、所定長さの時間区間、所定回数の共通時間基準獲得試み及び特定のタイマーの満了中の１つ以上を含む条件を満足することを意味することができる。但し、時間区間の長さ及び獲得試み回数値、またはタイマー時間は、図４の例と異なるように設定されることができる。また、共通時間基準を獲得するというのは、基地局からの同期信号及びシステム情報を成功的に検出するということ、または同期信号を成功的に検出するということ、または他のＤ２Ｄ端末からのＤ２Ｄ同期信号を成功的に検出するということを含むことができる。
【００７６】
５００段階で、前記端末が基地局と他のＤ２Ｄ端末の両方から共通時間基準を獲得するのに失敗する場合、前記端末は、５０１段階に進行し、共通時間基準を提供する。その後、端末は、本発明によるアルゴリズムを終了する。
【００７７】
もし５００段階で、前記端末が基地局または他のＤ２Ｄ端末から共通時間基準を獲得するに成功したら、５０２段階に進行し、獲得した共通時間基準に合わせて同期を獲得する。この際、前記基地局と前記他のＤ２Ｄ端末の両方から共通時間基準を獲得した場合、前記端末は、前記基地局からの共通時間基準を優先して従うことができる。その後、端末は、本発明によるアルゴリズムを終了する。
【００７８】
実施形態によって以後段階ではＤｉｓｃｏｖｅｒｙ過程を進行することができる。
【００７９】
図６は、本発明による無線通信システムにおいてＤ２Ｄ端末が自発的に共通時間基準提供を終了する端末動作手続の例を示す流れ図である。
【００８０】
図６を参照すれば、端末は、６００段階で、前記端末が共通時間基準を提供しているかを判断し、もし現在共通時間基準を提供していたら、６０１段階に進行する。６０１段階で、前記端末は、基地局または他のＤ２Ｄ端末の共通時間基準獲得を試みる条件が満足されたかを判断する。ここで、共通時間基準獲得を試みる条件というのは、所定周期を有する共通時間基準獲得試み時間区間、または共通時間基準提供開始時点から所定の時間以後及び共通時間基準提供開始時点から特定のタイマー時間満了中の１つ以上を含む。
【００８１】
実施形態において、もし６０１段階で、前記端末が前述した共通時間基準獲得試み条件が満足されたと判断されれば、６０２段階に進行し、前記端末は、前記基地局または他のＤ２Ｄ端末の共通時間基準獲得を試みることができる。その後、６０３段階で、前記端末は、与えられた条件内に前記基地局または前記他のＤ２Ｄ端末から共通基準時間を獲得したか否かを判断する。ここで与えられた条件というのは、特定周期、または所定長さの時間区間、所定回数の共通時間基準獲得試み及び特定のタイマーの満了中の１つ以上を含む。但し、時間区間の長さ及び獲得試み回数値、またはタイマー時間は、図４及び図５の例と異なるように設定されることができる。
【００８２】
もし前記端末が共通時間基準が獲得されたら、６０４段階に進行し、共通時間基準提供を中止し、前記獲得された共通時間基準によって同期を獲得する。この際、前記基地局と前記他のＤ２Ｄ端末の両方から共通時間基準を獲得した場合は、基地局からの共通時間基準を優先して従うことができる。その後、端末は、本発明によるアルゴリズムを終了する。また、前記端末が基地局及び他の端末のうち少なくとも１つから共通時間基準を獲得した場合、前記獲得した共通時間基準による共通時間基準情報を含む信号を他の端末または基地局に転送することができる。実施形態によって、前記端末が前記基地局から共通時間基準を獲得した場合、前記端末が他の端末から共通時間基準を獲得した場合及び前記端末が自体的に共通時間基準を提供する場合に転送される共通時間基準情報を含む信号は、他の方法で転送されることができる。具体的には、図１〜図３で説明された信号転送方法を介してそれぞれ区別されるように転送されることができる。
【００８３】
実施形態において、端末は、複数個の共通時間基準情報を獲得した場合、基地局で獲得した共通基準時間情報を基盤に転送された信号に含まれた共通時間基準情報を最も優先的に適用することができる。また、自体的に提供する共通時間基準情報を基盤として獲得した共通時間基準情報より他の端末を介して受信した共通時間基準を基盤に転送された信号に含まれた共通時間基準情報を優先的に適用することができる。
【００８４】
もし６００段階で、前記端末が現在共通時間基準を提供していなければ、６０５段階に進行し、前記基地局または前記他のＤ２Ｄ端末からの共通時間基準に従う。
【００８５】
また、６０１段階で、前記端末が前述した共通時間基準獲得を試みる条件が満足されないか、６０３段階で与えられた条件内に前記基地局または前記他のＤ２Ｄ端末から共通時間基準を獲得しない場合、前記端末は、共通時間基準を続いて提供することができる。
【００８６】
図７は、本発明による無線通信システムにおいて共通時間基準を提供されたＤ２Ｄ端末が共通時間基準を失うようになる場合、端末動作手続の例を示している。
【００８７】
図７を参照すれば、７００段階で、前記端末は、提供された共通時間基準が遺失されたか否かを判断する。ここで、共通時間基準遺失というのは、所定の時間区間の間にまたは特定のタイマーの満了まで共通時間基準獲得が不可能な状況を含む。もし共通時間基準が遺失されたら、端末は、７０１段階に進行し、基地局または他のＤ２Ｄ端末からの共通時間基準獲得を試みる。
【００８８】
その後、７０２段階で、前記端末は、与えられた条件内に前記基地局または前記他のＤ２Ｄ端末からの共通時間基準を獲得したか否かを判別し、共通時間基準を獲得しなければ、７０３段階で、前記端末が共通時間基準を提供する。ここで、与えられた条件というのは、所定長さの時間区間、所定回数の共通時間基準獲得試み、及び特定のタイマーの満了中の１つ以上を含む。但し、時間区間の長さ及び獲得試み回数値、またはタイマー時間は、前述した図４，図５，図６の例と異なるように設定されることができる。その後、端末は、本発明によるアルゴリズムを終了する。
【００８９】
もし共通時間基準が遺失されなければ、７０４段階に進行し、前記端末は、与えられた共通時間基準に合わせて続いて同期を維持する。もし７０２段階で、与えられた条件内に前記基地局または前記他のＤ２Ｄ端末からの共通時間基準を獲得したら、前記端末は、７０４段階に進行し、獲得した共通時間基準によって同期を維持する。この際、実施形態において、前記端末が基地局と他のＤ２Ｄ端末の両方から共通時間基準獲得に成功した場合、前記端末は、基地局からの共通時間基準を優先して従うことができる。その後、端末は、実施形態によるアルゴリズムを終了する。
【００９０】
図８は、本発明による無線通信システムにおいてＤ２Ｄ端末が基地局から最も最近受信した共通時間基準提供許可可否に対するシグナリングを基盤として共通時間基準を提供する端末動作手続の例を示している。実施形態において、端末は、セルラ網からサービスを受けることができない状況で、初期同期獲得段階を始めると仮定する。しかし、図８で説明する実施形態は、他の実施形態において、前記端末が前記基地局から共通時間基準を受信し、前記基地局から設定された前記受信した共通時間基準提供許可の可否を受信した場合、同一に適用されることができる。また、前記端末は、共通時間基準提供許可の可否を受信しない場合にも、既定の条件によって前記受信した共通時間基準を提供するか否かを判断することができる。
【００９１】
図８を参照すれば、８００段階で、前記端末は、与えられた条件内に基地局または他のＤ２Ｄ端末から共通基準時間を獲得したか否かを判断する。ここで、与えられた条件というのは、所定長さの時間区間、所定回数の共通時間基準獲得試み及び特定のタイマーの満了中の１つ以上を含む。
【００９２】
前記共通時間基準獲得に失敗した場合、前記端末は、８０１段階に進行し、前記基地局から最も最近受信した設定が共通時間基準提供可能になっているかを判断する。前記設定は、他のＤ２Ｄ端末からも受信されることができる。また、実施形態によって、前記設定は、前記基地局または前記他のＤ２Ｄ端末から受信した信号に指示子（ｉｎｄｉｃａｔｏｒ）形態で含まれることができ、前記指示子が指示する事項によって、前記端末は、共通時間基準を提供することができる。
【００９３】
もし前記基地局から提供可能に設定されたら、前記端末は、８０２段階に進行し、共通時間基準を提供することができる。その後、端末は、本発明によるアルゴリズムを終了する。ここで、最も最近前記共通時間基準提供可能を設定された前記端末は、共通時間基準を提供している途中に、前記基地局や前記他のＤ２Ｄ端末から共通時間基準を獲得するようになっても、前記設定に変化がなければ、獲得した共通時間基準で獲得した同期に合わせて端末も共通時間基準を続いて提供することができる。実施形態によれば、前記端末が共通時間基準を提供する間に、前記端末が前記基地局や他のＤ２Ｄ端末から共通時間基準を獲得する場合を仮定することができる。この際、前記端末は、新たに受信した共通時間基準によって同期を合わせる動作及び前記新たに受信した共通時間基準を他のＤ２Ｄ端末に提供する動作中の１つ以上を行うことができる。
【００９４】
８００段階で、前記端末が与えられた条件内に共通時間基準を獲得したら、前記端末は、８０３段階に進行し、獲得した共通時間基準に従う。この際、前記基地局と前記他のＤ２Ｄ端末の両方から共通時間基準獲得に成功した場合に、前記端末は、前記基地局から獲得した共通時間基準を優先して従うことができる。その後、端末は、本発明によるアルゴリズムを終了する。
【００９５】
８０１段階で、前記基地局から最も最近受信した設定が共通時間基準の提供不可能なら、前記端末は、共通時間基準を提供せず、さらに８００段階に戻って、共通時間基準獲得を試みる。
【００９６】
図９は、本発明による無線通信システムにおいてＤ２Ｄ端末のＤ２Ｄ同期信号送信機ブロック構成の例を示している。前記無線通信システムは、ＯＦＤＭ基盤転送技術を使用すると仮定する。しかし、実施形態によって、前記端末は、他の転送技術を使用する端末であることができる。
【００９７】
図９を参照すれば、制御機９００は、Ｄ２Ｄ端末が共通時間基準を提供するように決定された場合、共通時間基準の提供手段になるＤ２Ｄ同期信号を生成するように制御する。前記制御機９００からＤ２Ｄ同期信号生成を命令されれば、Ｄ２Ｄ同期信号生成器９０１は、Ｄ２Ｄ同期信号であるＰｒｉｍａｒｙ／Ｓｅｃｏｎｄａｒｙ  Ｄ２Ｄ同期信号をそれぞれ生成する。
【００９８】
この際、前記２つの同期信号は、互いに異なるシーケンスで構成されることができる。生成されたＤ２Ｄ同期信号は、Ｄ２Ｄ同期信号資源割当器９０２に入力され、Ｄ２Ｄ同期信号は、前述した図１，図２，図３の例のように転送時間、周波数資源領域にマッピングされる。ここで、資源領域マッピングに制御機９００が関与してＤ２Ｄ同期信号転送時点によって前述した図２の例のように他のマッピングパターンを適用することができる。資源割当されたＤ２Ｄ同期信号は、以後ＯＦＤＭ基盤信号生成器９０３を経てＯＦＤＭシンボル形態を備えた後、転送される。
【００９９】
図１０は、本発明による無線通信システムにおいてＤ２Ｄ端末のＤ２Ｄ同期信号受信機ブロック構成の例を示す。前記無線通信システムは、ＬＴＥを仮定したが、他のシステムでも前記端末が動作することができる。
【０１００】
図１０を参照すれば、受信されたＤ２Ｄ同期信号は、制御機１０００の制御の下にＤ２Ｄ同期信号抽出器１００１でＤ２Ｄ同期信号が転送されるとき、マッピングされた時間／周波数資源領域からＤ２Ｄ同期信号を抽出する。ここで、制御機１０００は、前述したように、Ｄ２Ｄ同期信号転送時点によって異なるように適用されたマッピングパターンを考慮して、Ｄ２Ｄ同期信号を抽出するようにＤ２Ｄ同期信号抽出器１００１を制御することができる。抽出されたＤ２Ｄ同期信号は、Ｄ２Ｄ同期信号検出器１００２で最終検出される。受信端末は、検出されたＤ２Ｄ同期信号から同期及びＤ２Ｄ同期信号転送主体のＩＤを獲得することができる。
【０１０１】
本発明の実施が可能なＤ２Ｄ端末は、それらがセルラーネットワークで共通時間基準を獲得することができない場合に効率的にＤ２Ｄ通信を行うことができるように自律的にＤ２Ｄ同期信号を介して共通時間基準を獲得することができる。この自律的共通時間基準を提供する観点から、Ｄ２Ｄ端末の優先順位を付与することができるので、多数のＤ２Ｄ端子各共通時間基準を提供する状況による混同が減少することができる。また、正常に作動するセルラーネットワークと信号を送受信することができる端末の場合、Ｄ２Ｄ通信のための共通の時間基準を提供することを中止し、セルラーネットワークで対応する共通時間基準を獲得することができる。
【０１０２】
また、実施形態において、Ｄ２Ｄ端末は、基地局及び他のＤ２Ｄ端末のうち１つ以上とデータを送受信することができる送受信部と、前記送受信部の動作を制御し、前記送受信部を介して送受信されるデータを基盤として前記Ｄ２Ｄ端末の動作を制御することができる制御部とを含むことができる。
【０１０３】
また、実施形態において、基地局は、Ｄ２Ｄ端末及び他の基地局のうち１つ以上とデータを送受信することができる送受信部と、前記送受信部の動作を制御し、前記送受信部を介して送受信されるデータを基盤として前記Ｄ２Ｄ端末の動作を制御することができる制御部とを含むことができる。
【０１０４】
一方、本発明の詳細な説明では、具体的な実施形態について説明したが、本発明の範囲から逸脱しない限度内でさまざまな変形が可能である。したがって、本発明の範囲は、説明された実施形に限って定められるべきものではなく、後述する特許請求の範囲だけでなく、この特許請求の範囲と均等なものによって定められるべきものである。
【符号の説明】
【０１０５】
９００  制御機
９０１  Ｄ２Ｄ同期信号生成器
９０２  Ｄ２Ｄ同期信号資源割当器
９０３  ＯＤＦＭ基盤信号生成器
１０００  制御機
１００１  Ｄ２Ｄ同期信号抽出器
１００２  Ｄ２Ｄ同期信号検出器
【図１】
2019165479.tif 000003
【図２】
2019165479.tif 000004
【図３】
2019165479.tif 000005
【図４】
2019165479.tif 000006
【図５】
2019165479.tif 000007
【図６】
2019165479.tif 000008
【図７】
2019165479.tif 000009
【図８】
2019165479.tif 000010
【図９】
2019165479.tif 000011
【図１０】
2019165479.tif 000012